(57)【要約】【課題】流体噴射装置における流体の利用効率を向上させることを目的とする。【解決手段】複数のノズル開口からなるノズル群を複数有するラインヘッド１３と、ラインヘッド１３に対向配置されるキャップ部材４３と、を備えたインクジェットプリンタ１００において、各ノズル群は、異なる種類の流体をそれぞれ噴射可能とされ、キャップ部材４３は、各ノズル群にそれぞれ対応して設けられ、各ノズル群の複数のノズル開口から噴射されるインクを収容可能とされた複数の流体受け部７１を有し、各流体受け部７１に溜まったインクは、各流体受け部７１にそれぞれ連通する複数の排出流路３６によって排出可能とされている。【選択図】図５
2009012382.tif 000002
【特許請求の範囲】
【請求項１】
複数のノズル開口からなるノズル群を複数有する流体噴射ヘッドと、前記流体噴射ヘッドに対向配置されるキャップ部材と、を備えた流体噴射装置において、
前記各ノズル群は、異なる種類の流体をそれぞれ噴射可能とされ、
前記キャップ部材は、前記各ノズル群にそれぞれ対応して設けられ、前記各ノズル群の前記複数のノズル開口から噴射される流体を収容可能とされた複数の流体受け部を有し、
前記各流体受け部に溜まった流体は、前記各流体受け部にそれぞれ連通する複数の排出流路によって排出可能とされていることを特徴とする流体噴射装置。
【請求項２】
複数のノズル開口からなるノズル列を複数有する流体噴射ヘッドと、前記流体噴射ヘッドに対向配置されるキャップ部材と、を備えた流体噴射装置において、
前記各ノズル列は、異なる種類の流体をそれぞれ噴射可能とされ、
前記キャップ部材は、前記複数のノズル列に対応して設けられ、前記各ノズル列の前記複数のノズル開口から噴射される流体を収容可能とされた複数の流体受け部を有し、
前記キャップ部材に溜まった流体は、前記各流体受け部にそれぞれ連通する複数の排出流路によって排出可能とされていることを特徴とする流体噴射装置。
【請求項３】
前記キャップ部材の前記各流体受け部に、前記排出流路を介して接続されるとともに流体を種類毎に貯留する複数の流体貯留部を備えていることを特徴とする請求項１または２記載の流体噴射装置。
【請求項４】
前記複数の流体貯留部内の流体を、前記各ノズル群にそれぞれ供給する供給流路を備えていることを特徴とする請求項１乃至３のいずれか一項に記載の流体噴射装置。
【請求項５】
前記排出流路内の流体を送流可能とする送流手段を備えることを特徴とする請求項１乃至４のいずれか一項に記載の流体噴射装置。
【請求項６】
前記キャップ部材を傾けて、前記各流体受け部内の流体を前記各排出流路へと流出させる傾動手段を備えることを特徴とする請求項１乃至４のいずれか一項に記載の流体噴射装置。
【請求項７】
前記複数のノズル群あるいは前記複数のノズル列の配列方向に前記キャップ部材を移動可能とする移動手段を備えることを特徴とする請求項１乃至６のいずれか一項に記載の流体噴射装置。
【請求項８】
前記ノズル群ごとにフラッシング処理を行う制御部を備えることを特徴とする請求項１乃至７のいずれか一項に記載の流体噴射装置。
【請求項９】
前記キャップ部材は、異なる種類の流体を一括して保持する共通受け部を有していることを特徴とする請求項１または２記載の流体噴射装置。
【請求項１０】
複数のノズル開口からなるノズル群を複数有する流体噴射ヘッドに対向配置されるキャップ部材に向けて前記ノズルから流体を噴射してフラッシング処理を行う、流体噴射装置におけるフラッシング処理方法であって、
異なる種類の流体を噴射可能とする前記複数のノズル群を備えた前記流体噴射ヘッドに、前記各ノズル群に対応する複数の流体受け部を備えた前記キャップ部材を対向させる工程と、
フラッシング処理を行う前記ノズル群と、当該ノズル群に対応して設けられ、前記各ノズル群の前記複数のノズルから噴射される流体を収容可能とされた前記流体受け部とを位置合わせする工程と、
前記ノズル群から前記流体受け部に対して流体を噴射してフラッシング処理を行う工程と、を備えることを特徴とする流体噴射装置におけるフラッシング処理方法。
【請求項１１】
複数のノズル開口からなるノズル列を複数有する流体噴射ヘッドに対向配置されるキャップ部材に向けて前記ノズルから流体を噴射してフラッシング処理を行う、流体噴射装置におけるフラッシング処理方法であって、
異なる種類の流体を噴射可能とする前記複数のノズル列からなる前記流体噴射ヘッドに、前記複数のノズル列の各々に対応して設けられ、前記各ノズル列の前記複数のノズルから噴射される流体を収容可能とされた複数の流体受け部を備えた前記キャップ部材を対向させる工程と、
フラッシング処理を行う前記ノズル列と、当該ノズル列に対応する前記流体受け部とを位置合わせする工程と、
前記ノズル列から前記流体受け部に対して流体を噴射してフラッシング処理を行う工程と、を備えることを特徴とする流体噴射装置におけるフラッシング処理方法。
【発明の詳細な説明】
【技術分野】
【０００１】
本発明は、流体噴射装置及び流体噴射装置におけるフラッシング処理方法に関するものである。
【背景技術】
【０００２】
流体噴射装置として、記録ヘッド（噴射ヘッド）に形成されたノズルより記録媒体にインクを噴射するインクジェット式記録装置が知られている。流体噴射装置においては、記録ヘッドの各ノズルの状態を好適に保ち、常に所望の液量のインク滴が吐出されてドット抜けが発生しないように、記録（印刷）の開始前、途中又は終了後等に、各ノズルからインクを吐出することでノズルの目詰まりを防止する、いわゆるフラッシング処理が行われている。
【特許文献１】特開２００２−２３４１８８号公報
【発明の開示】
【発明が解決しようとする課題】
【０００３】
従来の技術では、フラッシング処理によって排出される全ての色のインクが混ざって回収されるために、印字へのインクの再利用は不可能であった。
また、特に記録ヘッドがラインヘッドである場合には、ノズル数が多いために各インクの排出量も大量となってしまい、多くのインクが無駄になっていた。そのため、インクの利用効率が悪くコストが掛かるという問題があった。
【０００４】
本発明は、上述する問題点に鑑みてなされたもので、流体噴射装置における流体の利用効率を向上させることを目的とする。
【課題を解決するための手段】
【０００５】
上記目的を達成するために、本発明は、複数のノズル開口からなるノズル群を複数有する流体噴射ヘッドと、流体噴射ヘッドに対向配置されるキャップ部材と、を備えた流体噴射装置において、各ノズル群は、異なる種類の流体をそれぞれ噴射可能とされ、キャップ部材は、各ノズル群にそれぞれ対応して設けられ、各ノズル群の複数のノズル開口から噴射される流体を収容可能とされた複数の流体受け部を有し、各流体受け部に溜まった流体は、各流体受け部にそれぞれ連通する複数の排出流路によって排出可能とされていることを特徴とする。
【０００６】
このような特徴を有する本発明によれば、キャップ部材に、流体噴射ヘッドの各ノズル群に対応する複数の流体受け部が設けられているので、ノズルの目詰まりを防止するために行われるフラッシング処理において、各ノズル群から排出される流体を種類ごとに受けることが可能となる。従来のように、各種類の流体がキャップ部材内で混合することがないので各流体の再利用が可能となる。そのため、例えばフラッシング処理において、ノズルの目詰まりを確実に回避するためにノズル群から大量の流体が噴射された場合や、ノズル数の多いラインヘッドの場合であっても、各種の流体を無駄にすることなく利用することができるようになる。これにより、ノズルの良好な噴射精度を確保できるとともに流体に掛かるコストを抑えることができる。
【０００７】
上記目的を達成するために、本発明は、複数のノズル開口からなるノズル列を複数有する流体噴射ヘッドと、流体噴射ヘッドに対向配置されるキャップ部材と、を備えた流体噴射装置において、各ノズル列は、異なる種類の流体をそれぞれ噴射可能とされ、キャップ部材は、複数のノズル列に対応して設けられ、各ノズル列の複数のノズル開口から噴射される流体を収容可能とされた複数の流体受け部を有し、キャップ部材に溜まった流体は、各流体受け部にそれぞれ連通する複数の排出流路によって排出可能とされていることを特徴とする。
【０００８】
このような特徴を有する本発明によれば、キャップ部材に、流体噴射ヘッドの各ノズル列に対応する複数の流体受け部が設けられているので、ノズルの目詰まりを防止するために行われるフラッシング処理において、各ノズル列から排出される流体を種類ごとに受けることが可能となる。従来のように、各種類の流体がキャップ部材内で混合することがないので各流体の再利用が可能となる。そのため、ノズルの目詰まりを確実に回避するためにノズル列から大量の流体が噴射された場合や、ノズル数の多いラインヘッドの場合でも、各種の流体を無駄にすることなく利用することができるようになる。これにより、ノズルの良好な噴射精度を確保できるとともに流体に掛かるコストを抑えることができる。
【０００９】
また、本発明においては、キャップ部材の各流体受け部に、排出流路を介して接続されるとともに流体を種類毎に貯留する複数の流体貯留部を備えているという構成を採用する。
このような構成を採用することによって、各流体貯留部に流体を種類毎に貯留することが可能となるので、キャップ部材の各流体受け部に溜まった流体を混合させることなく回収することができる。
【００１０】
また、本発明においては、複数の流体貯留部内の流体を、各ノズル群にそれぞれ供給する供給流路を備えているという構成を採用する。
このような構成を採用することによって、キャップ部材の各流体受け部に溜まった流体を、流体貯留部及び供給流路を介して各ノズル群へと直接供給することが可能となり、流体の再利用を効率良く行うことが可能となる。
【００１１】
また、本発明においては、排出流路内の流体を送流可能とする送流手段を備えるという構成を採用する。
このような構成を採用することによって、送流手段の作用による各排出流路内の流体の強制的な送流が可能となるため、キャップ部材に溜まった流体を短時間で排出させることができる。また、キャップ部材に溜まった流体を短時間で各流体貯留部へと送ることが可能になる。
【００１２】
また、本発明においては、キャップ部材を傾けて、各流体受け部内の流体を各排出流路へと流出させる傾動手段を備えるという構成を採用する。
このような構成を採用することによって、傾動手段の作用により、キャップ部材を傾けるだけで流体受け部内の流体を各排出流路へと流出させることができるので、各流体受け部に溜まった流体を確実に各流体貯留部へと送ることができる。
【００１３】
また、本発明においては、複数のノズル群あるいは複数のノズル列の配列方向にキャップ部材を移動可能とする移動手段を備えるという構成を採用する。
このような構成を採用することによって、流体噴射ヘッドにおける各ノズル群（各ノズル列）の配列ピッチが非常に狭い場合であっても、対応するノズル群（ノズル列）と流体受け部とを確実に位置合わせすることができる。これにより、各種流体の混合を避け、種類ごとに流体を回収することができる。
【００１４】
また、本発明においては、ノズル群ごとにフラッシング処理を行う制御部を備えるという構成を採用する。
このような構成を採用することによって、フラッシングの必要なノズル群のみにフラッシング処理を施すことが可能となる。そのため、定期メンテナンスに要する時間を短縮することができる。
【００１５】
また、本発明においては、キャップ部材は、異なる種類の流体を一括して保持する共通受け部を有しているという構成を採用する。
このような構成を採用することによって、フラッシング処理時に流体受け部が流体で一杯になった場合でも、共通受け部が各流体受け部の予備として機能し、流体を受けることができる。これにより、流体受け部から流体を溢れ出させることなく処理を行うことができる。
【００１６】
上記目的を達成するために、本発明は、複数のノズル開口からなるノズル群を複数有する流体噴射ヘッドに対向配置されるキャップ部材に向けてノズルから流体を噴射してフラッシング処理を行う、流体噴射装置におけるフラッシング処理方法であって、異なる種類の流体を噴射可能とする複数のノズル群を備えた流体噴射ヘッドに、各ノズル群に対応する複数の流体受け部を備えたキャップ部材を対向させる工程と、フラッシング処理を行うノズル群と、当該ノズル群に対応して設けられ、各ノズル群の複数のノズルから噴射される流体を収容可能とされた流体受け部とを位置合わせする工程と、ノズル群から流体受け部に対して流体を噴射してフラッシング処理を行う工程と、を備えることを特徴とする。
【００１７】
このような特徴を有する本発明によれば、流体噴射ヘッドの各ノズル群と、キャップ部材の各流体受け部とを位置合わせした状態でフラッシング処理を施すことにより、各ノズル群から排出される流体を種類ごとに受けることが可能となる。従来のように、各種類の流体がキャップ部材内で混合することがないので各流体の再利用が可能となる。そのため、ノズルの目詰まりを確実に回避するためにノズル群から大量の流体が噴射された場合や、ノズル数の多いラインヘッドの場合であっても、各種の流体を無駄にすることなく利用することができるようになる。これにより、ノズルの良好な噴射精度を確保できるとともに流体に掛かるコストを抑えることができる。
【００１８】
上記目的を達成するために、本発明は、複数のノズル開口からなるノズル列を複数有する流体噴射ヘッドに対向配置されるキャップ部材に向けてノズルから流体を噴射してフラッシング処理を行う、流体噴射装置におけるフラッシング処理方法であって、異なる種類の流体を噴射可能とする複数のノズル列からなる流体噴射ヘッドに、複数のノズル列の各々に対応して設けられ、各ノズル列の複数のノズルから噴射される流体を収容可能とされた複数の流体受け部を備えたキャップ部材を対向させる工程と、フラッシング処理を行うノズル列と、当該ノズル列に対応する流体受け部とを位置合わせする工程と、ノズル列から流体受け部に対して流体を噴射してフラッシング処理を行う工程と、を備えることを特徴とする。
【００１９】
このような特徴を有する本発明によれば、流体噴射ヘッドの各ノズル群のノズル列と、キャップ部材の各流体受け部とを位置合わせした状態でフラッシング処理を施すことにより、各ノズル列から排出される流体を種類ごとに受けることが可能となる。従来のように、各種類の流体がキャップ部材内で混合することがないので各流体の再利用が可能となる。そのため、ノズルの目詰まりを確実に回避するためにノズル列から大量の流体が噴射された場合や、ノズル数の多いラインヘッドの場合であっても、各種の流体を無駄にすることなく利用することができるようになる。これにより、ノズルの良好な噴射精度を確保できるとともに流体に掛かるコストを抑えることができる。
【発明を実施するための最良の形態】
【００２０】
以下、本発明に係る流体噴射装置の一実施形態について、図を参照して説明する。なお、以下の説明に用いる各図面では、各部材を認識可能な大きさとするため、各部材の縮尺を適宜変更している。本実施形態では、本発明に係る流体噴射装置として、インクジェット式プリンタを例示する。
【００２１】
図１は、本実施形態のインクジェット式プリンタ（以下、インクジェットプリンタ１００という）の概略構成図、図２は、ラインヘッド周辺の要部平面図、図３は、ラインヘッドのノズル形成面を示す平面図である。
本実施形態においてインクジェットプリンタ１００は、図１及び図２に示すように、記録紙１２への記録を行う記録部１０と、記録部１０のフラッシング処理を行うメンテナンス部１１とを備える。
【００２２】
記録部１０は、インク滴を噴射して流体噴射対象物である記録紙１２に画像形成するラインヘッド１３（流体噴射ヘッド）と、記録紙１２を搬送する記録紙搬送機構１４と、ラインヘッド１３に供給するインク（流体）を貯留したインク貯留部１５とを備えて構成されている。
【００２３】
記録紙搬送機構１４は、紙送りモータ（不図示）やこの紙送りモータによって回転駆動される紙送りローラ等から構成され、記録（印字・印刷）動作に連動させて、記録紙１２をラインヘッド１３に対向するように順次送り出す。
【００２４】
インク貯留部１５は、プリンタ本体１６の一側に配置され、不図示のインク供給手段により後述のラインヘッド１３へインクを供給する。このインク貯留部１５は、インクジェットプリンタ１００の各色（イエロー（Ｙ）、マゼンタ（Ｍ）、シアン（Ｃ）、黒（Ｋ１：染料系）、黒（Ｋ２：顔料系））に対応する色のインクを貯蔵するインクタンク（流体貯留部）１５Ｙ，１５Ｍ，１５Ｃ，１５Ｋ１，１５Ｋ２を有しており、後述のインク供給部を介してラインヘッド１３と連通している。
【００２５】
ラインヘッド１３は、インクジェットプリンタ１００が対象とする最大サイズの記録紙１２の少なくとも一辺を越える長さ（最大記録紙幅Ｗ）に亘ってノズルが多数配列されたライン型の記録ヘッドである。本実施形態においては、少なくとも各色（Ｙ、Ｍ、Ｃ、Ｋ１、Ｋ２）に対応した５つの印字部５Ｙ，５Ｍ，５Ｃ，５Ｋ１，５Ｋ２を備えている。各印字部５Ｙ，５Ｍ，５Ｃ，５Ｋ１，５Ｋ２は、インク滴を噴射するためのノズル１７を多数整列配置してなるノズル群Ｌ（図３参照）をそれぞれ有しており、記録紙１２の搬送方向に沿って順に配設されている。ノズル群Ｌは、ノズル１７による１列のライン又はノズル１７による複数列のラインであって、ノズル１７の数やラインの数は適宜設定される。図３はノズル群Ｌの一実施例を示すものであり、ノズル１７による複数列のラインを示している。ライン数を増やすことにより、一度に広範囲の記録が可能になるとともに、画像の解像度も高まる。なお、ここで言うノズル列のラインとは、記録紙の搬送方向に直交する方向に配列するノズル開口１７のラインである。
【００２６】
ラインヘッド１３は、最大記録紙幅Ｗに対応する長さ方向を記録紙１２の搬送方向と直交する方向に配置され、各ノズル群Ｌのノズル開口１７からインク滴が記録紙１２に噴射されることにより記録紙１２に画像が記録される。
【００２７】
インク貯留部１５とラインヘッド１３とを連通するインク供給部は、複数のインク供給流路３４（図５参照）を有しており、各インクタンク１５Ｙ，１５Ｍ，１５Ｃ，１５Ｋ１，１５Ｋ２から各印字部５Ｙ，５Ｍ，５Ｃ，５Ｋ１，５Ｋ２へとインクが供給されるようになっている。
【００２８】
以下、図４を参照してラインヘッドの構成について詳述する。図４は、ラインヘッドの一部を示す断面図である。
ラインヘッド１３は、ヘッド本体１８と、振動板１９、流路基板２０、及びノズル基板２１を含む流路形成ユニット２２とを備えている。インクを噴射するノズル開口１７はノズル基板２１に形成され、ノズル基板２１の下面がノズル形成面２１Ａとされている。流路形成ユニット２２は、振動板１９、流路基板２０、及びノズル基板２１を積層し、接着剤等で接合して一体にしたものである。
【００２９】
ラインヘッド１３は、ヘッド本体１８の内部に形成された収容空間２３と、収容空間２３に配置された駆動ユニット２４とを備えている。駆動ユニット２４は、複数の圧電素子２５と、圧電素子２５の上端を支持する固定部材２６と、駆動信号を圧電素子２５に供給する柔軟なケーブル２７とを備えている。圧電素子２５は、複数のノズル開口１７のそれぞれに対応するように設けられている。
【００３０】
また、ヘッド本体１８の内部に形成され、インクタンクからインク供給流路を介して供給されたインクが流れる内部流路２８と、振動板１９、流路基板２０、及びノズル基板２１を含む流路形成ユニット２２によって形成され、内部流路２８と接続された共通インク室２９と、流路形成ユニット２２によって形成され、共通インク室２９と接続されたインク供給口３０と、流路形成ユニット２２によって形成されてインク供給口３０と接続された圧力室３１とを備えている。圧力室３１は、複数のノズル開口１７に対応するように複数設けられている。複数のノズル開口１７のそれぞれは、複数の圧力室３１のそれぞれに接続されている。
【００３１】
ヘッド本体１８は、合成樹脂で形成されている。振動板１９は、例えばステンレス鋼等の金属製の支持板上に弾性フィルムをラミネート加工したものである。振動板１９の圧力室に対応する部分には、圧電素子２５の下端と接合される島部３２が形成されている。振動板１９の少なくとも一部は、圧電素子２５の駆動に応じて弾性変形する。振動板１９と内部流路２８の下端近傍との間にはコンプライアンス部３３が形成されている。
【００３２】
流路基板２０は、内部流路２８の下端とノズル開口１７とを接続する共通インク室２９、インク供給口３０、及び圧力室３１それぞれの空間を形成するための凹部を有する。本実施形態においては、流路基板２０は、シリコンを異方性エッチングすることで形成されている。
【００３３】
ノズル基板２１は、所定方向に所定間隔（ピッチ）で形成された複数のノズル開口１７を有する。本実施形態のノズル基板２１は、例えばステンレス鋼等の金属で形成された板状の部材である。
【００３４】
各インクタンクから各々のインク供給流路を介して供給されたインクは、内部流路２８の上端に流入する。内部流路２８の下端は、共通インク室２９に接続されており、インクタンクからインク供給流路を介して内部流路２８の上端に流入したインクは、内部流路２８を流れた後、共通インク室２９に供給される。共通インク室２９に供給されたインクは、インク供給口３０を介して、複数の圧力室３１のそれぞれに分配されるように供給される。
【００３５】
ケーブル２７を介して圧電素子２５に駆動信号が入力されると、圧電素子２５が伸縮する。これにより、振動板１９が圧力室に接近する方向及び離れる方向に変形（移動）する。これにより、圧力室３１の容積が変化し、インクを収容した圧力室３１の圧力が変動する。この圧力の変動によって、ノズル開口１７からインクが噴射される。
【００３６】
このように、本実施形態の圧電素子２５（駆動素子）は、ノズル開口１７よりインクを噴射するために、入力される駆動信号に基づいて、ノズル開口１７に接続された圧力室３１（空間）の圧力を変動させる。そして、ノズル開口１７から噴射されたインクによって記録紙１２に所望の画像が形成される。
【００３７】
次に、図５及び図６を参照してメンテナンス部１１の構成について詳述する。
メンテナンス部１１は、ノズル開口１７の乾燥防止又はノズル開口１７近傍のインク粘度上昇を防止するためのキャッピング機構４０と、キャッピング機構４０に溜まったインクを排出するためのインク排出部４１とを含めたメンテナンス装置４２、インク排出部４１によって排出されたインクを回収する廃インクタンク３９等を備えている。
【００３８】
キャッピング機構４０は、図５に示すように、樹脂等によって成型されたキャップ部材４３を備えている。キャップ部材４３は、ラインヘッド１３のノズル形成面２１Ａを覆うことができるとともに、ノズル形成面２１Ａとの間に空間を形成可能である。
【００３９】
キャップ部材４３は、ラインヘッド１３側に開口する複数のインク受け部７１（７１Ｙ，７１Ｍ，７１Ｃ，７１Ｂ１、７１Ｂ２）と共通受け部７２とを設けており、ノズル形成面２１Ａとの間に複数の空間を形成可能な構成となっている。本実施形態においては、ラインヘッド１３における印字部５Ｙ，５Ｍ，５Ｃ，５Ｋ１，５Ｋ２の各ノズル群Ｌにそれぞれ対応する５つのインク受け部７１と、各ノズル群Ｌに共通して対応可能な共通受け部７２とを備えている。
【００４０】
これらインク受け部７１及び共通受け部７２は、ノズル形成面２１Ａに対向する上面４３Ａに、キャップ部材４３の周縁部４３ａや仕切り部４３ｂによって囲まれた複数の開口部４３ｃを有しており、各開口部４３ｃ（すなわち、各インク受け部７１及び共通受け部７２の開口面積）が各ノズル群Ｌのノズル形成領域全体を覆うほどの大きさあるいはそれ以上の大きさで形成されている。そのため、各インク受け部７１及び共通受け部７２の配列ピッチは、各印字部５Ｙ，５Ｍ，５Ｃ，５Ｋ１，５Ｋ２の配列ピッチよりも大きい。
【００４１】
また、印字部５Ｙ，５Ｍ，５Ｃ，５Ｋ１，５Ｋ２の配列順と、これに対応するインク受け部７１（７１Ｙ，７１Ｍ，７１Ｃ，７１Ｂ１、７１Ｂ２）の配列順は異なっており、例えば、印字部５Ｍに対応するインク受け部７１Ｍは、印字部５Ｙに対応するインク受け部７１Ｙから一つおきに配置されている。すなわち、各印字部５Ｙ，５Ｍ，５Ｃ，５Ｋ１，５Ｋ２と、各インク受け部７１及び共通受け部７２の配列ピッチとの配列ピッチとが異なっているために、互いの対応関係も異なってくる。例えば、図８に示すように、印字部５Ｙにインク受け部７１Ｙを対向させると、インク受け部７１Ｙに隣り合うインク受け部は印字部５Ｃに対向するということになる。
【００４２】
なお、各インク受け部７１と各印字部５Ｙ，５Ｍ，５Ｃ，５Ｋ１，５Ｋ２との対応関係は、キャップ部材４３やラインヘッド１３の構成により適宜設定されるものである。
【００４３】
また、キャップ部材４３は、ラインヘッド１３による記録動作前や記録動作中等において、増粘したインク２や気泡等を排出するためにインク滴Ｄを噴射するフラッシング処理においてインク滴Ｄを受ける。そのため、キャップ部材４３の各インク受け部７１及び共通受け部７２の内部に、インクを吸収可能なスポンジ状部材や多孔部材等を設けておいてもよい。
さらに、隣り合うインク受け部７１において、互いに受けるインクが混色することを避けるために、キャップ部材４３の上面４３Ａを撥水加工しておいてもよい。
【００４４】
キャッピング機構４０は、キャップ部材４３を、ラインヘッド１３のノズル形成面２１Ａに対して近接する方向または離間する方向に相対的に移動させる第１の操作（上下移動）を行うとともに、ラインヘッド１３に対して水平方向（ノズル形成面２１Ａの面方向）に相対的に移動させる第２の操作（水平移動）を行う不図示の駆動機構（移動手段）を備えている。
【００４５】
駆動機構は、第１の操作において、キャップ部材４３を、所定の退避位置とラインヘッド１３の下方のメンテナンス位置（ラインヘッド１３に対向する位置）との間を往復移動させる。キャップ部材４３のメンテナンス位置は、電源オフ時や長時間に亘って記録（インク噴射処理）が行われない場合にラインヘッド１３のメンテナンス処理を行うための場所であって、ラインヘッド１３のノズル基板２１（図４参照）の表面（即ち、ノズル形成面２１Ａ）にキャップ部材４３が近接（当接）する位置である。
キャップ部材４３の退避位置は、ラインヘッド１３による記録紙への記録（インク噴射処理）が行われている間に待機する場所であって、ラインヘッド１３との間に記録紙の搬送経路（図１の二点鎖線の矢印で示す）を形成すべく、記録紙の搬送経路よりも下方のラインヘッド１３から離間した位置に設定される。
【００４６】
また駆動機構は、第２の操作において、メンテナンスを行う印字部５Ｙ，５Ｍ，５Ｃ，５Ｋ１，５Ｋ２の各ノズル群Ｌと、これらノズル群Ｌに対応するキャップ部材４３のインク受け部７１とを対向させるべく、キャップ部材４３をノズル形成面２１Ａの面方向に沿って水平移動させる。このような第２の操作によって、ラインヘッド１３に対するキャップ部材４３の位置の微調整を行う。
【００４７】
以下、図５及び図６を参照してインク排出部について詳述する。図６は、キャップ部材に連結されたポンプの構成を示す図である。
インク排出部４１は、キャップ部材４３に接続してインク受け部７１および共通受け部７２内に溜まったインクを排出する複数の排出流路３６、各インク受け部７１に溜まったインクを各排出流路３６内に吸引するための複数のポンプ４９等を備えている。
【００４８】
キャップ部材４３の底壁には、インク受け部７１及び共通受け部７２内に溜まったインク２を排出する突出部４６が下方に向かって突設されており、その内部には排出通路４６ａが形成されている。
【００４９】
インク受け部７１に連通する突出部４６には、上記排出流路３６として機能する、可撓性材料等からなる排出チューブ４７の一端部が接続されており、排出チューブ４７の他端部は、各インクタンク１５Ｙ，１５Ｍ，１５Ｃ，１５Ｋ１，１５Ｋ２内に挿入されている。
【００５０】
キャップ部材４３と各インクタンク１５Ｙ，１５Ｍ，１５Ｃ，１５Ｋ１，１５Ｋ２と間には、チューブポンプ式のポンプ４９が配設されている。ポンプ４９は、円筒状のケース５０を有しており、このケース５０内には平面視で円形状をなすポンプホイル５１がケース５０の軸心に設けられたホイル軸５２を中心に回動可能に収容されている。そして、このケース５０内に、排出チューブ４７の中間部４７ａがケース５０の内周壁５０ａに沿うようにして収容されている。
【００５１】
ポンプホイル５１には、一対の外側に膨らむ円弧状をなすローラ案内溝５３，５４がホイル軸５２を挟んで対向するように形成されている。各ローラ案内溝５３，５４は、一端がポンプホイル５１の外周側に位置しており、他端がポンプホイル５１の内周側に位置している。すなわち、両ローラ案内溝５３，５４は、それらの一端から他端に向かうほど、徐々にポンプホイル５１の外周部から遠ざかるように延びている。
両ローラ案内溝５３，５４内には、押圧手段としての一対のローラ５５，５６が、それぞれ回動軸５５ａ，５６ａを介して挿通支持されている。なお、両回動軸５５ａ，５６ａは、それぞれ両ローラ案内溝５３，５４内を摺動自在になっている。
【００５２】
そして、ポンプホイル５１を、正方向（矢印方向）に回動させると、両ローラ５５，５６が両ローラ案内溝５３，５４の一端側（ポンプホイル５１の外周側）に移動し、排出チューブ４７の中間部４７ａを上流側から下流側へ順次押し潰しながら（押圧しながら）回動するようになっている。この回動により、ポンプ４９より上流側の排出チューブ４７の内部が減圧されるようになっている。
これにより、キャップ部材４３内に溜まったインク２は、ポンプホイル５１の正方向の回動動作により、徐々に各インクタンク１５Ｙ，１５Ｍ，１５Ｃ，１５Ｋ１，１５Ｋ２方向へ排出されるようになっている。
【００５３】
また、各排出チューブ４７には、メッシュ状に構成されたフィルタＦがそれぞれ配設されており、各インク受け部７１から排出されたインク２に含まれる異物（インクの固まり・ゴミ・気泡等）がフィルタＦによって除去されるようになっている。
【００５４】
また、ポンプホイル５１を逆方向（矢印方向とは反対方向）に回動させると、両ローラ５５，５６が両ローラ案内溝５３，５４の他端側（ポンプホイル５１の内周側）に移動するようになっている。この移動により、両ローラ５５，５６がそれぞれ排出チューブ４７の中間部４７ａに軽く接した状態となり、排出チューブ４７の内部の減圧状態が解消されるようになっている。
なお、ポンプホイル５１は、記録紙搬送機構１４の紙送りモータによって回転駆動されるようになっている。
【００５５】
一方、共通受け部７２に連通する突出部４６には、上記排出流路３６として機能する、可撓性材料等からなる排出チューブ４７の一端部が接続されており、排出チューブ４７の他端部は、ポンプを経て、廃インクタンク３９内に挿入されている。
なお、廃インクタンク３９内には、多孔質部材からなる廃インク吸収材（不図示）が収容されており、この廃インク吸収材により回収されたインク２が吸収されるようになっている。
【００５６】
図７は、インクジェットプリンタ１００の電気的な構成を示すブロック図である。
本実施形態のインクジェットプリンタ１００は、全体の動作を制御する制御装置６０（制御部）を備えている。制御装置６０には、ラインヘッド１３、記録紙搬送機構１４、メンテナンス装置４２等が接続されており、このような制御装置６０によって、記録処理、メンテナンス処理などが実行されるようになっている。
【００５７】
以上のような構成のインクジェットプリンタ１００は、記録紙に対する記録（印字・印刷）中に、所定の時間毎にメンテナンス装置４２を用いてラインヘッド１３に対するメンテナンス処理を実行可能である。メンテナンス装置４２は、ラインヘッド１３の噴射特性を維持あるいは回復するために、ラインヘッド１３と協働して、ノズル開口１７よりインクを排出させる動作を含むメンテナンス処理を実行する。
【００５８】
メンテナンス処理は、ノズル開口１７からインクをキャップ部材４３に噴射するフラッシング処理、メンテナンス装置４２のキャップ部材４３中の共通受け部７２及びポンプ４９によるインクの吸引処理の少なくとも一方を含む。また、本実施形態においては、キャップ部材４３によるノズル開口１７の保湿も保湿動作としてメンテナンス処理に含まれる。
【００５９】
ラインヘッド１３によるフラッシング動作は、ノズル開口１７からのインクを記録紙に供給する前に、ノズル形成面２１Ａがキャップ部材４３中の共通受け部７２に対向する状態において、ノズル開口１７よりインクをキャップ部材４３に予め噴射する動作を含む。これにより、印字中又は待機中において、特定のノズル開口１７の使用頻度が低くなり、そのノズル開口１７付近の粘度が増大したインクが排出され、ノズル開口１７の噴射特性が維持又は回復される。
【００６０】
吸引動作は、ノズル形成面２１Ａがキャップ部材４３中の共通受け部７２によって封止された状態において、ノズル形成面２１Ａとキャップ部材４３との間に形成された空間をポンプ４９を用いて負圧にすることによって、ノズル形成面２１Ａのノズル開口１７からインクを吸引する動作を含む。これにより、フラッシング処理では排出しきれなかった粘度が増大したインク、ノズル開口１７内に侵入したゴミ、ラインヘッド１３内の気泡等が、ノズル開口１７よりインクとともに排出され、ノズル開口１７の噴射特性が維持又は回復される。
【００６１】
保湿動作は、キャップ部材４３中の共通受け部７２にインク２が溜まった状態において、ノズル形成面２１Ａとキャップ部材４３との間に閉空間を形成することによって、ノズル開口１７が晒される環境を保湿する動作を含む。これによってノズル開口１７の乾燥が抑制され、ノズル開口１７の噴射特性が維持される。
【００６２】
キャップ部材４３にインク２が溜まると、このインク２が溢れる前に、ポンプ４９を駆動してインク２を排出するように制御される。上述したように、ポンプ４９は、紙送りモータにより駆動されるため、給紙・排紙を含む記録（印字・印刷）処理を停止して行う必要がある。このため、キャップ部材４３にできるだけ多くのインク２を溜めて、排出処理の頻度を抑えることが要求される。
【００６３】
また、メンテナンス処理は、不図示のワイピング装置を用いて、残留したインク等、ノズル形成面２１Ａに付着している異物を拭き取ったり払ったりする、ワイピング処理を含むようにしてもよい。
【００６４】
次に、上述の構成を有するインクジェットプリンタの動作の一例について、フラッシング動作を含むメンテナンス部の動作を中心にして、図８に示すフローチャート図を参照しながら説明する。図８はフラッシング処理を示すフローチャートである。また、説明において図５及び図９を適宜参照する。図９はキャッピング機構の動作を示す説明図である。
［フラッシング処理］
図７において、外部から印刷データが送信されると、制御装置６０（制御装置）は、ドットパターンに対応した噴射データに展開してラインヘッド１３に送信する。そして、ラインヘッド１３では、受信した噴射データに基づき、記録（印字・印刷）処理、すなわち記録紙に対するインク滴Ｄの噴射を実行する（ステップＳ１）。
そして、予め設定されている時間が経過すると（ステップＳ２）、定期メンテナンス処理を開始する。
【００６５】
定期メンテナンス処理が開始すると、制御装置６０はキャッピング機構４０の第１の操作を開始して、図５に示すように、キャップ部材４３をラインヘッド１３の下方のメンテナンス位置まで移動させ、ノズル形成面２１Ａに近接対向させる（ステップＳ３）。
なお、ステップＳ３においては、図５に示すようにラインヘッド１３のノズル形成面２１Ａとキャップ部材４３の上面４３Ａとが一定の距離だけ離間された状態であっても良いし、ラインヘッド１３のノズル形成面２１Ａとキャップ部材４３の上面４３Ａとが当接された状態であっても良い。すなわち、上記メンテナンス位置が、ラインヘッド１３のノズル形成面２１Ａとキャップ部材４３の上面４３Ａとが一定の距離だけ離間される位置に設定されていても良いし、ラインヘッド１３のノズル形成面２１Ａとキャップ部材４３の上面４３Ａとが当接された位置に設定されていても良い。
【００６６】
ステップＳ３にてノズル形成面２１Ａとキャップ部材４３とが対向あるいは当接されると、制御装置６０はキャッピング機構４０の第２の操作を開始して、ラインヘッド１３に対しするキャップ部材４３の位置を調整する（ステップＳ４）。
より詳細には、制御装置６０は、図９（ａ）に示すように、キャップ部材４３を水平方向に移動させて、ラインヘッド１３における特定の印字部（ノズル群Ｌ）と、この印字部（ノズル群Ｌ）に対応するキャップ部材４３のインク受け部７１とが対向するように位置決めする。例えば、印字部５Ｙとインク受け部７１Ｙ、印字部５Ｃとインク受け部７１Ｃとを上下方向において互いに対向させ、実際にフラッシング処理を行うための位置決めを行う。
【００６７】
続いて、制御装置６０は、印字部５Ｙ及び印字部５Ｃに対するフラッシング処理を行う（ステップＳ５）。制御装置６０は、圧電素子を駆動させて印字部５Ｙ及び印字部５Ｃの各ノズル群Ｌから同時にインク滴Ｄを連続吐出する。フラッシング処理におけるインク滴Ｄの吐出回数は、インク２の増粘状態に応じて設定する。例えば、ノズル開口１７内におけるインク２の増粘状態が最も悪い場合を想定して規定してもよい。
フラッシング処理によって、印字部５Ｙ，５Ｃの各ノズル群Ｌから吐出されたインク２は、キャップ部材４３の各インク受け部７１Ｙ，７１Ｃに一時貯留される。
【００６８】
そして、印字部５Ｙ，５Ｃに対するフラッシング処理が完了すると、制御装置６０は、キャッピング機構４０の第２の操作を再び開始して、キャップ部材４３の位置を再調整する（ステップＳ６）
より詳細には、制御装置６０は、キャップ部材４３を水平方向に移動させて、図９（ｂ）に示すように、印字部５Ｍとインク受け部７１Ｍ、印字部５Ｋ１とインク受け部７１Ｋ１、印字部５Ｋ２とインク受け部７１Ｋ２とが上下方向において互いに対向するように位置決めする。
【００６９】
続いて、制御装置６０は、印字部５Ｍ、印字部５Ｋ１、印字部５Ｋ２に対するフラッシング処理を行う（ステップＳ７）。制御装置６０は、圧電素子を駆動させて印字部５Ｍ、印字部５Ｋ１、印字部５Ｋ２の各ノズル群Ｌから同時にインク滴Ｄを連続吐出する。フラッシング処理によって、印字部５Ｍ、５Ｋ１、５Ｋ２の各ノズル群Ｌから吐出されたインク２は、各々に対向するキャップ部材４３の各インク受け部７１Ｍ，７１Ｋ１，７１Ｋ２に一時貯留される。
【００７０】
なお、フラッシング処理中、処理を行っている印字部に対応するインク受け部７１内がインクで一杯になった場合には、制御装置６０は一旦フラッシング処理を停止してキャップ部材４３を水平移動させ、共通受け部７２を上記印字部に対向させる。つまり、共通受け部は、インクをそれ以上受けられなくなったインク受け部７１の代わりとして、フラッシングによって吐出されるインクを貯留する。共通受け部７２は、どの印字部にも対応することができ、一色あるいは混色した状態でインクを貯留することになる。
【００７１】
続いて、制御装置６０は、キャップ部材４３内に溜まったインクを排出する処理を行う（ステップＳ８）。制御装置６０は、図５に示すように、ポンプ４９を駆動することによって各インク受け部７１から排出流路３６へとインクを強制的に排出させる動作を行うと同時に、各インク受け部７１から排出したインクを各インク受け部７１に連通する排出流路３６を介して各インクタンク１５Ｙ，１５Ｍ，１５Ｃ，１５Ｂ１，１５Ｂ２へと送流させる。途中、各排出流路３６に備えられているフィルタＦによってインクが濾過され、インク内の気泡や固まり・ゴミなどが除去され、リサイクル可能なインクとなる。
なお、共通受け部７２内に溜まったインクは、混色した状態であることが殆どであるため、共通受け部７２に連通する排出流路３６を介して廃インクタンク３９へと随時排出される。
【００７２】
そして、フラッシング処理が完了すると、制御装置６０は、キャップ部材４３を下降させることによってノズル形成面２１Ａからキャップ部材４３を離間させ、キャップ部材４３を所定の退避位置に移動させる（ステップＳ９）。
【００７３】
その後、再び記録処理に戻る。記録処理では、定期フラッシング処理を行うか否か（ステップＳ２）、記録処理が完了するか否か（ステップＳ１０）を判断することを繰り返す。
【００７４】
また、メンテナンス部１１による吸引動作は、上記フラッシング動作と同様に、キャッピング機構４０を操作してラインヘッド１３の各印字部（ノズル群L）にキャップ部材１３の共通受け部７２を対向させた状態で行う。ノズル開口１７からインクを強制的に吸引する吸引動作の場合には、ノズル形成面２１Ａとキャップ部材４３（インク受け部７１）との間に形成される空間を負圧状態にする必要があるため、キャップ部材４３の上面４３Ａをノズル形成面２１Ａに当接させて行うことが好ましい。
【００７５】
このように、本実施形態のインクジェットプリンタ１００によれば、キャップ部材４３に、ラインヘッド１３の各ノズル群Ｌに対応する複数のインク受け部７１が設けられているので、ノズル開口１７の目詰まりを防止するために行われるフラッシング処理において、各ノズル群Ｌから排出されるインクを色ごとに受けることが可能となる。従来のように、キャップ部材４３内でインクが混色することがないので印字への再利用が可能となる。そのため、例えばノズル開口１７の目詰まりを確実に回避可能とするために大量のインクがノズル群Ｌから噴射された場合であっても、各色のインクを無駄にすることなく利用することができるようになる。また、混色することによって固まる性質を有するインクであっても効率的に回収することができる。これにより、インクを色別に回収することができるので再利用可能となり、インクに掛かるコストを抑えることができる。
また、キャップ部材４３に溜まった各色のインクが排出流路３６を介して各インクタンク１５Ｙ〜１５ＢＫ２へと直接戻されるため、キャップ部材４３からインクを色毎に回収し、その後インクタンク１５Ｙ〜１５ＢＫ２へ充填するというような作業を省くことができ、インクを効率的に再利用することが可能となる。
また、ポンプ４９を用いることで、排出流路３６内のインクの強制的な送流が可能となるため、キャップ部材４３の各インク受け部７１に溜まったインクを短時間で各インクタンクへと送ることができる。
また、本実施形態では、複数の印字部（ノズル群Ｌ）に対して同時にフラッシング処理を実行可能なため、定期メンテナンス処理に掛かる時間を短縮することができる。また、制御装置６０により、印字部（ノズル群Ｌ）毎にメンテナンス処理を行うことが可能なため、例えば、メンテナンスの必要な印字部（ノズル群Ｌ）のみにフラッシング処理を施すことも可である。これにより、定期メンテナンスに掛かる時間をさらに短縮することができる。
【００７６】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００７７】
例えば、上記実施形態においては、各印字部５Ｙ，５Ｍ，５Ｃ，５Ｂ１，５Ｂ２のノズル群Ｌ全体を、キャップ部材４３の各インク受け部７１Ｙ，７１Ｍ，７１Ｃ，７１Ｋ１，７１Ｋ２によってそれぞれキャッピング可能な構成となっているが、各印字部５Ｙ，５Ｍ，５Ｃ，５Ｂ１，５Ｂ２における各ノズル群Ｌが複数のノズル列Ｌ１〜Ｌ６からなる場合、１つのノズル列毎あるいは複数のノズル列毎にキャッピング可能なインク受け部７１を複数有するキャップ部材４３を備える構成としてもよい。
図１０に示すように、例えば印字部５Ｙを例に挙げて述べると、印字部５Ｙのノズル列Ｌ１〜Ｌ３、ノズル列Ｌ４〜Ｌ６に対して、各々１つずつのインク受け部７１Ｙが対応することになる。これにより、クリーニングの必要なノズル列に対してだけメンテナンス処理を行うことが可能となり、メンテナンス処理に要する時間をより短縮することができる。
【００７８】
また、上記実施形態においては、キャップ部材４３の各インク受け部７１に連通する複数の排出流路３６が各色に対応したインクタンク１５Ｙ〜１５ＢＫ２へと接続され、共通受け部７２に連通する排出流路３６が廃インクタンク３９に接続された構成になっているが、図１１（ａ）に示すように、キャップ部材４３の各インク受け部７１及び共通受け部７２に連通する各排出流路３６が、インクタンク１５Ｙ〜１５ＢＫ２とは異なる回収タンク７５に接続される構成になっていてもよい。この回収タンク７５は、色毎にインクを貯留可能とする。
【００７９】
また、上記実施形態においては、キャップ部材４３内のインクをポンプ４９等を用いて排出する構成としたが、例えば、キャッピング機構４０にキャップ部材４３を傾動させる不図示の傾動装置（傾動手段）を備えるようにしてもよい。この場合、例えば図１１（ｂ）に示すように、キャップ部材４３の各インク受け部７１及び共通受け部７２に連通する排出流路３６全てをキャップ部材４３の長手方向一方に偏るように配設する。そして、傾動装置により、排出流路３６側が下方になるようにしてキャップ部材４３を傾動させることで、各インク受け部７１及び共通受け部７２内に溜まったインクを各排出流路３６へと流出させることが可能である。キャップ部材４３から排出されたインクは、各排出流路３６を介して、色毎にインクを貯留可能とする回収タンク７５に回収するようにしても良いし、各ポンプ４９の作用によりインクタンク１５Ｙ〜１５ＢＫ２へと送るようにしても良い。共通受け部７２内に溜まったインクは、廃インクタンクにて回収され、破棄される。
【００８０】
また、上記傾動装置を備えた構成において、例えば図１１（ｃ）に示すように、メンテナンス処理終了後、インクの溜まったキャップ部材４３をインク貯留部１５よりも高位置に移動させ、その位置でキャップ部材４３を傾動させることでインクを各インクタンク１５Ｙ〜１５ＢＫ２へと流し込むようにしても良い。
【００８１】
また、例えば図１１（ｄ）に示すように、キャップ部材４３の各インク受け部７１及び共通受け部７２に連通する複数の第１サブ排出流路３６ａと、複数の第１サブ排出流路３６ａの下流側端部に接続される本流路３６ｂと、本流路３６ｂから分岐して各インクタンク１５Ｙ，１５Ｍ，１５Ｃ，１５Ｂ１，１５Ｂ２、及び廃インクタンク３９にそれぞれ接続する複数の第２サブ排出流路３６ｃとからなる排出流路部７６を備えた構成としても良い。上記本流路３６ｂにはポンプ４９が配設され、各第１サブ排出流路３６ａ及び各第２サブ排出流路３６ｃにはバルブ７７が配設されている。
【００８２】
このような構成の場合、例えば黄色のインクについて述べると、キャップ部材４３のインク受け部７１Ｙに連通する第１サブ排出流路３６ａのバルブ７７を開放するとともに、インク貯留部１５のインクタンク１５Ｙに連通する第２サブ排出流路３６ｃのバルブ７７を開放し、それ以外のバルブ７７は閉塞しておく。この状態で、ポンプ４９を駆動させれば、インク受け部７１Ｙ内のインクがインクタンク１５Ｙへと送られることになる。このように、バルブ７７の開閉を制御することによって、特定のインク受け部７１とインクタンクとを連通させることができる。このような構成によれば、一つのポンプ４９でキャップ部材４３内における全てのインクを排出することができ、設備費を抑えることができる。
【００８３】
また、上記実施形態においては、キャップ部材４３を上下に移動させることによって、ラインヘッド１３とキャップ部材４３との相対移動を実現する構成について説明した。
しかしながら、本発明はこれに限定されるものではなく、ラインヘッド１３を上下に移動させることによって、ラインヘッド１３とキャップ部材４３との相対移動を実現させても良い。また、ラインヘッド１３を上下動させてキャップ部材４３と対向させた後、ラインヘッド１３を水平移動させてキャップ部材４３との位置の微調整を行うようにしても良いし、ラインヘッドを上下動させてキャップ部材４３と対向させた後、キャップ部材４３を水平移動させてラインヘッド１３との位置の微調整を行うようにしても良い。
【００８４】
また上記実施形態においては、ラインヘッド１３が、各色（Ｙ，Ｍ，Ｃ，Ｋ１，Ｋ２）に対応する５つのラインヘッドを備えていてもよい。
また、図１２（ａ）に示すように、単一のラインヘッドが複数のユニット９０に分割されていても良い。また、図１２（ｂ）に示すように、各ユニット９０がラインヘッド１３の長手方向に沿って千鳥配置されていても良い。
【００８５】
例えば、上記実施形態においては、単一のラインヘッドを備え、当該ラインヘッドから全ての種類のインクが噴射される構成について説明した。しかしながら、本発明はこれに限定されるものではなく、インクの種類ごとにラインヘッドを設置する構成であっても良い。このような場合には、各ラインヘッドごとにキャップ部材４３が設置されることとなる。
また、本発明は、ラインヘッド方式のインクジェットプリンタに限られるものではなく、シリアル方式のインクジェットプリンタに適用することも可能である。
【００８６】
また、上記実施形態では、圧電駆動方式のインクジェットプリンタ１００を例に採り説明したが、これに限定されない。例えば、静電駆動方式であっても、バブルジェット（登録商標）方式（サーマルインクジェット方式）であってもよい。
【００８７】
また、上記実施形態においては、インクジェット式記録装置がインクジェット式プリンタである場合を例にして説明したが、インクジェット式プリンタに限られず、複写機及びファクシミリ等の記録装置であってもよい。
【００８８】
また、上述の各実施形態においては、流体噴射装置が、インク等の流体を噴射する流体噴射装置（流体噴射装置）である場合を例にして説明したが、本発明の流体噴射装置は、インク以外の他の流体を噴射したり吐出したりする流体噴射装置に適用することができる。流体噴射装置が噴射可能な流体は、液体、機能材料の粒子が分散又は溶解されている液状体、ジェル状の流状体、流体として流して噴射できる固体、及び粉体（トナー等）を含む。
【００８９】
また、上述の各実施形態において、流体噴射装置から噴射される流体としては、インクのみならず、特定の用途に対応する流体を適用可能である。流体噴射装置に、その特定の用途に対応する流体を噴射可能な噴射ヘッドを設け、その噴射ヘッドから特定の用途に対応する流体を噴射して、その流体を所定の物体に付着させることによって、所定のデバイスを製造可能である。例えば、本発明の流体噴射装置（流体噴射装置）は、液晶ディスプレイ、ＥＬ（エレクトロルミネッセンス）ディスプレイ、及び面発光ディスプレイ（ＦＥＤ）の製造等に用いられる電極材、色材等の材料を所定の分散媒（溶媒）に分散（溶解）した流体を噴射する流体噴射装置に適用可能である。
【００９０】
また、流体噴射装置としては、バイオチップ製造に用いられる生体有機物を噴射する流体噴射装置、精密ピペットとして用いられ試料となる流体を噴射する流体噴射装置であってもよい。
【００９１】
さらに、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ジェルを噴射する流状体噴射装置、トナーなどの粉体を例とする固体を噴射するトナージェット式記録装置であってもよい。そして、これらのうちいずれか一種の流体噴射装置に本発明を適用することができる。
【図面の簡単な説明】
【００９２】
【図１】本発明の一実施形態に係るインクジェットプリンタの概略構成図。
【図２】本発明の一実施形態に係るインクジェットプリンタが備えるラインヘッド周辺の要部平面図。
【図３】本発明の一実施形態に係るインクジェットプリンタが備えるラインヘッドのノズル形成面を示す平面図。
【図４】本発明の一実施形態に係るインクジェットプリンタが備えるラインヘッドの要部断面図。
【図５】本発明の一実施形態に係るインクジェットプリンタの概略構成図。
【図６】本発明の一実施形態に係るインクジェットプリンタが備えるポンプの概略構成図。
【図７】本発明の一実施形態に係るインクジェットプリンタにおけるフラッシング処理の一例を説明するためのフローチャート図。
【図８】本発明の一実施形態に係るインクジェットプリンタの電気的構成を説明するブロック図。
【図９】キャッピング機構の動作を説明するための説明図。
【図１０】キャップ部材の他の構成を説明するための説明図。
【図１１】インクジェットプリンタの他の構成を示す概略構成図。
【図１２】ラインヘッドの他の構成を示す平面図。
【符号の説明】
【００９３】
１００…インクジェットプリンタ（流体噴射装置）、１７…ノズル開口、１３…ラインヘッド（流体噴射ヘッド）、３６…排出流路、４３…キャップ部材、４９…ポンプ（送流手段）、６０…制御装置（制御部）、７１…インク受け部（流体受け部）、７２…共通受け部、Ｌ…ノズル群、Ｌ１〜Ｌ６…ノズル列、５Ｙ，５Ｍ，５Ｃ，５Ｂ１，５Ｂ２…インクタンク（流体貯留部）
【図１】
2009012382.tif 000003
【図２】
2009012382.tif 000004
【図３】
2009012382.tif 000005
【図４】
2009012382.tif 000006
【図５】
2009012382.tif 000007
【図６】
2009012382.tif 000008
【図７】
2009012382.tif 000009
【図８】
2009012382.tif 000010
【図９】
2009012382.tif 000011
【図１０】
2009012382.tif 000012
【図１１】
2009012382.tif 000013
【図１２】
2009012382.tif 000014